(57)【要約】【課題】どんな椅子でも手軽にストレッチ運動を可能とする健康器具を提供する。【解決手段】略円柱形の第１部材と、中空部を有する略円筒の複数の第２部材とを有する。第１部材は、複数の第２部材の中空部に挿通する。健康器具を曲げない状態において、第２部材の各々の各端面上のうち、少なくとも外周近傍は、隣接する第２部材の端面と接しない。【選択図】  図１
0003183333.tif 000002
【実用新案登録請求の範囲】
【請求項１】
健康器具であって、
略円柱形の第１部材と、
中空部を有する略円筒の複数の第２部材とを有し、
前記第１部材は、複数の前記第２部材の前記中空部に挿通し、
前記健康器具を曲げない状態において、前記第２部材の各々の端面のうち、少なくとも外周近傍は、隣接する前記第２部材の端面と接しないこと
を特徴とする健康器具。
【考案の詳細な説明】
【技術分野】
【０００１】
本考案は、健康器具に関するものである。
【背景技術】
【０００２】
着座時に発生する身体の不具合を解消するものとして、例えば引用文献１に記載の技術がある。
【先行技術文献】
【特許文献】
【０００３】
【特許文献１】特開2007-202862号公報
【考案の概要】
【考案が解決しようとする課題】
【０００４】
引用文献１に記載の技術は専用の椅子を用いるものである。従って、既に所有する椅子や、自動車等の備え付けの椅子には使用できない。
【０００５】
本考案はこのような事情に鑑みてなされたもので、どんな椅子でも手軽にストレッチ運動を可能とする健康器具の提供を目的とする。
【課題を解決するための手段】
【０００６】
本考案は上記の目的を達成するためになされたもので、健康器具であって、略円柱形の第１部材と、中空部を有する略円筒の複数の第２部材とを有し、前記第１部材は、複数の前記第２部材の前記中空部に挿通し、前記健康器具を曲げない状態において、前記第２部材の各々の端面のうち、少なくとも外周近傍は、隣接する前記第２部材の端面と接しないことを特徴とする。
【考案の効果】
【０００７】
本考案の技術によれば、どんな椅子でも手軽にストレッチ運動を可能とする。
【図面の簡単な説明】
【０００８】
【図１】一実施形態の健康器具の模式図の一例である。
【図２】中軸部の一例を説明するための図である。
【図３】円筒部の一例を説明するための図である。
【図４】円筒部の一例を説明するための図である。
【図５】健康器具の断面図の一例である。
【図６】健康器具の使用例を説明するための図である。
【図７】健康器具の使用例を説明するための図である。
【図８】健康器具を曲げたときの円筒部を説明するための図である。
【図９】他の実施形態の健康器具の断面図の一例である。
【考案を実施するための形態】
【０００９】
以下、本考案の一実施形態を、図面を参照して詳細に説明する。
【００１０】
図１は本実施形態の健康器具１の模式図の一例である。健康器具１は、中軸部１０と、複数の円筒部２０と、中軸部１０及び円筒部２０を覆うカバー３０とを有する。
【００１１】
図２は、図１に一例を示す健康器具１の、軸中心を通る面における断面図の例である。
【００１２】
詳細は後述するが、円筒部２０の各々は略円筒であり、図２に一例を示すように、各円筒部２０は他の円筒部２０と円筒の両端面の一部で接している。また、中軸部１０は略円柱であり、図２に一例を示すように、円筒部２０の中空部に挿通されている。
【００１３】
図２に一例を示すように、各円筒部２０の両端面の外周部位においては、隣接する円筒部２０の端面との間にクリアランスｄがある。これにより、健康器具１は、曲げが容易となり、撓りが良くなる。従って、どのような形状の椅子等にもフィットし、ストレッチ効果が増すという効果が得られる。
【００１４】
特に限定するものではないが、ここでは、複数の円筒部２０のうち、両端に位置する円筒部２０が、接着剤等の任意の手段により、中軸部１０と固定されているものとする。これにより、すべての円筒部２０を中軸部１０に固定する場合よりも、円筒部２０の可動性が増し、より撓りを良くするという効果を得ることができる。
【００１５】
なお、円筒部２０は複数であれば良く、その個数は特に限定するものではない。
【００１６】
以下、健康器具１を構成する各部を詳細に説明する。
【００１７】
まず、中軸部１０を説明する。図３（A）は中軸部１０の正面図の一例であり、図３（B）は中軸部１０の側面図の一例である。図３（A）、（B）に一例を示すように、中軸部１０は、断面が略楕円の円柱である。
【００１８】
中軸部１０の寸法等は、ここでは、楕円が長軸約５ｃｍ、短軸約３ｃｍであり、軸方向の長さ約３５ｃｍ等であるものとする。当然ながら寸法等はこれに限定するわけではなく、使用者の体型や使用目的等に応じて異なってもよい。
【００１９】
次に、円筒部２０を説明する。図４（A）は円筒部２０の正面図の一例であり、図４（B）は円筒部２０の側面図の一例である。図４（A）、（B）に一例を示すように、円筒部２０は中空部２０ａを有し、円筒部２０の外周円及び中空部２０ａの各々が略楕円の円筒である。中空部２０ａの中心は、円筒部２０の外周楕円の中心と一致する位置又は中心近傍の位置である。
【００２０】
ここで、円筒部２０について図５を用いて詳細に説明する。図５は、図４（A）に一例を示す円筒部２０の正面図の拡大である。
【００２１】
図５において、外周近傍２０ｂは、円筒部２０の各両端面において、最外周を含む領域である。接触部位置２０ｃは、円筒部２０の中心軸２０ｄに略垂直であり、かつ、接触円筒部２０ｅを通過する仮想面である。ここで、接触円筒部２０ｅとは、健康器具１を曲げない状態において、円筒部２０の端面のうち隣接する円筒部２０の端面と接する点、線、面等である。
【００２２】
円筒部２０において、外周近傍２０ｂは、接触部位置２０ｃに対し、他方の端面方向に任意距離シフトしている。即ち、健康器具１を曲げない状態においては、円筒部２０の外周近傍２０ｂは、隣接する円筒部２０の端面と接触しない。
【００２３】
この外周近傍２０ｂの形状等は特に限定するものではないが、中心軸２０ｄを通る断面形状において、外周近傍２０ｂと接触部位置２０ｃとの距離が、円筒部２０の外周に近づくにつれ漸次大きくなるほうが好ましい。そのためには、例えば、中心軸２０ｄを通る断面形状において、接触部位置２０ｃに対し外周近傍２０ｂが所定角度を成す直線でも良く、また、外周近傍２０ｂが曲面であり、外周近傍２０ｂの任意位置の接線と接触部位置２０ｃとが所定角度を成してもよい。図５では、外周近傍２０ｂが曲面であり、外周近傍２０ｂの最外周における接線と接触部位置２０ｃとが角度αを成している例を示している。
【００２４】
なお、外周近傍２０ｂが曲面である場合、上記した撓りの良さという効果がさらに高くなる。
【００２５】
円筒部２０の寸法等は、ここでは、外周楕円の長軸約１０ｃｍ、短軸約８ｃｍとし、また、中空部２０ａの長軸及び短軸を、上記中軸部１０が挿通可能な任意の寸法とし、軸方向の長さ約５ｃｍ等であるものとする。なお、当然ながら寸法等はこれに限定するわけではなく、使用者の体型や使用目的等に応じて異なってもよい。
【００２６】
中軸部１０及び円筒部２０の素材・材料等は特に限定するものではないが、弾力性や柔軟性のあるもの、例えば軟質ウレタンフォーム等が考えられる。
【００２７】
また、健康器具１は、上記のように、曲げられることが想定されるため、複数の円筒部２０の中空部２０ａに挿通される中軸部１０には、引張応力や引裂き応力が発生する。そこで、中軸部１０素材・材料等は、引張強さや引裂き強さに優れたものであるほうが好ましい。
【００２８】
また、ストレッチ効果を高めるために、円筒部２０の材料・素材等を、例えばオレフィン系樹脂の発泡ポリエチレン等、比較的硬度が高く柔軟性の低いものとしてもよい。
【００２９】
次に、健康器具１の使用例を説明する。図６、７は、健康器具１を椅子に使用した場合の例である。図６、７に一例を示すように、使用者の背中と椅子の背当てとの間に、健康器具１の軸方向を、使用者の脊柱近傍に沿わせるようにして使用する。なお、上記のように、中軸部１０及び円筒部２０は略楕円であるが、この略楕円の長軸方向及び短軸方向を使用者の背中に対し垂直とするか平行とするかについては、使用者の好みや体型等に応じて任意で良い。
【００３０】
図６は、使用者が背当てにあまり寄りかからない体勢の場合の例を示す。図７は、使用者が背当てに体重をかけて寄りかかった体勢の場合の例を示す。図７における破線部は、使用者が図６に一例を示す体勢で使用した場合の健康器具１の例である。
【００３１】
本健康器具１は、上記のように、各円筒部２０の両端面の外周部位においては、他の円筒部２０の端面との間にクリアランスがあるので、図７に一例を示すような体勢にあっても、健康器具１が、使用者の体型や体勢、椅子の形状等に応じて撓るため、ストレッチ効果を増大させることができる。
【００３２】
ここで、健康器具１を曲げた時の円筒部２０を、図８を参照して説明する。なお、図８では、説明の簡略化のために、一部の円筒部２０、中軸部１０及びカバー３０等を省略している。
【００３３】
図８（Ａ）は、健康器具１を曲げない場合の円筒部２０の一例であり、図８（Ｂ）は、健康器具１を曲げた場合の円筒部２０の一例である。図８（Ａ）においては、各円筒部２０は、接触円筒部２０ｅにおいて、隣接する円筒部２０と接しており、外周近傍２０ｂは、隣接する円筒部２０と接していない。一方、図８（Ｂ）においては、円筒部２０の端面において、他の円筒部２０との接触する位置が、軸中心２０ｄから外周方向へ移動し、外周近傍２０ｂ又はその近傍において、隣接する円筒部２０と接触している。
【００３４】
このように、円筒部２０は、外周近傍２０ｂを有するため、健康器具１を曲げたときに発生する他の円筒部２０との干渉量が少ない。そのため、健康器具１の曲げが容易となり、撓りが良くなるという効果がある。
【００３５】
このような構成は、椅子に、背当てに荷重を掛けると背当てが倒れて座面と背当てとの角度が開き、荷重を掛けるのを中止すると背当て位置が元に戻るような機能等がある場合や、背当てに凹凸等がある場合などには特に有効である。
【００３６】
また、上記のように、ストレッチ効果を高めるために、円筒部２０の材料・素材等を、比較的硬度が高く柔軟性の低いものとする場合もあるが、そのような材料・素材等の場合も、上記のような構成は特に有効である。
【００３７】
次に、健康器具１の他の実施形態を説明する。なお、以下で説明する実施形態は、上記で説明した実施形態と比較して、中軸部１０、円筒部２０、カバー３０の各々の構造は、一部の寸法等を除き同じであるが、中軸部１０及び円筒部２０の組み付けが異なるため、異なる点のみを詳細に説明し、他の説明は省略する。
【００３８】
図９は、本実施形態において、健康器具１´の、軸中心を通る面における断面図の例である。図９において、健康器具１´は、中軸部１０´、円筒部２０´、カバー３０´等から構成される。
【００３９】
中軸部１０´、円筒部２０´、中空部２０ａ´、カバー３０´の各々は、上記のように、中軸部１０、円筒部２０、中空部２０ａ、カバー３０と一部の寸法等を除き同じである。ただし、上記実施形態では、円筒部２０の各々は、健康器具１を曲げない状態では、端面の一部にて隣接する円筒部２０と接していたが、本実施形態では、健康器具１を曲げない状態では、円筒部２０´の端面のすべてが、隣接する円筒部２０´と接しない。即ち、円筒部２０´の各々は、他の円筒部２０´との間にクリアランスｄ´を有する状態で中軸部１０´に組み付けられる。このクリアランスｄ´は任意であるが、例えば０．５ｃｍ程度でもよい。
【００４０】
本実施形態においては、円筒部２０´が、上記と同様の外周近傍２０ｂを有してもよいし、無くてもよい。円筒部２０´が外周近傍２０ｂを有しないということは、即ち、円筒部２０´の両端面が略平面であってもよいということである。円筒部２０´の両端面が略平面であっても、本実施形態では、円筒部２０´が、任意のクリアランスｄ´を有する状態で中軸部１０´に組み付けられるため、健康器具１´を曲げない状態においては、円筒部２０´の各々の両端面は他の円筒部２０´の端面と接しない。なお、図９では、円筒部２０´が、上記と同様の外周近傍２０ｂを有する場合の例を示している。
【００４１】
また、この実施形態では、上記と同様に、中軸部１０´の寸法等は任意であるが、例えば、楕円が長軸約６ｃｍ、短軸約４ｃｍであり、軸方向の長さ約３２ｃｍ等であってもよい。
【００４２】
また、この実施形態では、上記と同様に、円筒部２０´の寸法等は任意であるが、外周楕円の長軸約１０ｃｍ、短軸約８ｃｍとし、また、中空部２０ａ´の長軸及び短軸を、中軸部１０´が挿通可能な任意の寸法とし、軸方向の長さ約６ｃｍ等であるものとする。
【００４３】
この実施形態では、円筒部２０´間のクリアランスｄ´があるため、上記実施形態よりも、より曲げが容易となり、撓りが良くなるという効果を有する。
【００４４】
以上、この考案の実施形態を、図面を参照して詳述してきたが、具体的な構成はこの実施形態に限られるものではなく、この考案の要旨を逸脱しない範囲の設計変更等も含まれるのは言うまでもない。
【符号の説明】
【００４５】
１：健康器具、１０：中軸部、２０：円筒部、３０：カバー
【図１】
0003183333.tif 000003
【図２】
0003183333.tif 000004
【図３】
0003183333.tif 000005
【図４】
0003183333.tif 000006
【図５】
0003183333.tif 000007
【図６】
0003183333.tif 000008
【図７】
0003183333.tif 000009
【図８】
0003183333.tif 000010
【図９】
0003183333.tif 000011